(57)【要約】【課題】  白成分光Ｗの色座標のシフトを抑制しながら、高輝度化を実現することを可能とする投写型映像表示装置を提供する。【解決手段】  投写型映像表示装置１００は、赤成分光Ｒを出射する光源１０と、青成分光Ｂを出射する光源２０と、光源２０から出射される青成分光Ｂを励起光として、緑成分光Ｇ及び黄成分光Ｙｅを出射する発光体を有するカラーホイール４０と、映像入力信号に基づいて、基準映像光及び非基準映像光を変調するＤＭＤ７０と、光源１０、光源２０及びカラーホイール４０を制御する制御ユニット２００とを備える。制御ユニット２００は、赤成分光Ｒの光出射期間と黄成分光Ｙｅの光出射期間とが重複するように、光源１０、光源２０及びカラーホイール４０を制御する。【選択図】  図１
2012053162.tif 000002
【特許請求の範囲】
【請求項１】
第１成分光を出射する第１光源と、
第２成分光を出射する第２光源と、
前記第２光源から出射される前記第２成分光を励起光として、基準映像光の一種である第１基準映像光及び非基準映像光を出射する発光体を有する発光体ユニットと、
映像入力信号に基づいて、前記基準映像光及び前記非基準映像光を変調する光変調素子と、
前記光変調素子から出射される光を投写する投写ユニットと、
前記第１光源、前記第２光源及び前記発光体ユニットを制御する制御部とを備え、
前記制御部は、前記第１基準映像光と前記非基準映像光とを時分割で出射するように前記発光体ユニットを制御し、
前記制御部は、前記第１成分光の光出射期間と前記非基準映像光の光出射期間とが重複するように、前記第１光源、前記第２光源及び前記発光体ユニットを制御することを特徴とする投写型映像表示装置。
【請求項２】
前記第１光源は、前記第１基準映像光以外の前記基準映像光である第２基準映像光として、前記第１成分光を出射することを特徴とする請求項１に記載の投写型映像表示装置。
【請求項３】
前記発光体ユニットは、前記第１光源から出射される前記第１成分光を励起光として、前記第１基準映像光以外の前記基準映像光である第２基準映像光を出射する発光体を有することを特徴とする請求項１に記載の投写型映像表示装置。
【請求項４】
前記発光体ユニットは、発光体を回転可能に支持する回転ホイールによって構成されることを特徴とする請求項１に記載の投写型映像表示装置。
【請求項５】
前記制御部は、前記映像入力信号に基づいて、前記非基準映像光の光出射期間を制御することを特徴とする投写型映像表示装置。
【請求項６】
前記第２基準映像光は、赤成分光であり、
前記非基準映像光は、黄成分光、シアン成分光又はマゼンタ成分光であることを特徴とする請求項２又は請求項３に記載の投写型映像表示装置。
【発明の詳細な説明】
【技術分野】
【０００１】
本発明は、励起光を出射する光源と、励起光に応じて所定色成分光を出射する発光体とを備える投写型映像表示装置に関する。
【背景技術】
【０００２】
従来、光源と、光源から出射された光を変調する光変調素子と、光変調素子から出射された光を投写面上に投写する投写ユニットとを有する投写型映像表示装置が知られている。
【０００３】
ここで、光源から出射される光を励起光として、赤成分光、緑成分光、青成分光などの基準映像光を出射する発光体を有する投写型映像表示装置が提案されている（例えば、特許文献１）。具体的には、各色成分光を出射する複数種類の発光体がカラーホイールに設けられており、カラーホイールの回転によって、各色成分光が時分割で出射される。
【先行技術文献】
【特許文献】
【０００４】
【特許文献１】特開２００８−０５２０７０号公報
【発明の概要】
【発明が解決しようとする課題】
【０００５】
ところで、一般的な光源において小さな発光光量しか得られない緑成分光Ｇについては、発光体を用いることによって、大きな発光光量が得られる。一方で、励起光の波長帯から離れた波長帯を有する特定の色成分光（例えば、赤成分光Ｒ）については、発光体を用いることによって、大きな発光光量が逆に得られない。従って、例えば、特定の色成分光（例えば、赤成分光Ｒ）については、発光体を用いずに、固体光源（ＬＥＤ；Ｌｉｇｈｔ  Ｅｍｉｔｔｉｎｇ  Ｄｉｏｄｅ）を用いることが考えられる。
【０００６】
このようなケースでは、赤成分光Ｒの光量を増大させると、白成分光Ｗの色座標が赤側にシフトしてしまう。従って、白成分光Ｗの色座標を適切な座標に維持しようとすると、赤成分光Ｒの光量を増大することができず、高輝度化を望めなかった。
【０００７】
そこで、本発明は、上述した課題を解決するためになされたものであり、白成分光Ｗの色座標のシフトを抑制しながら、高輝度化を実現することを可能とする投写型映像表示装置を提供することを目的とする。
【課題を解決するための手段】
【０００８】
第１の特徴に係る投写型映像表示装置は、第１成分光（例えば、赤成分光Ｒ、紫外成分光ＵＶ）を出射する第１光源（光源１０又は光源１０Ｘ）と、第２成分光（例えば、青成分光Ｂ）を出射する第２光源（光源２０）と、前記第２光源から出射される前記第２成分光を励起光として、基準映像光の一種である第１基準映像光（例えば、緑成分光Ｇ）及び非基準映像光（例えば、黄成分光Ｙｅ）を出射する発光体を有する発光体ユニット（例えば、カラーホイール４０）と、映像入力信号に基づいて、前記基準映像光及び前記非基準映像光を変調する光変調素子（ＤＭＤ７０）と、前記光変調素子から出射される光を投写する投写ユニット（投写ユニット８０）と、前記第１光源、前記第２光源及び前記発光体ユニットを制御する制御部（制御ユニット２００）とを備える。前記制御部は、前記第１基準映像光と前記非基準映像光とを時分割で出射するように前記発光体ユニットを制御する。前記制御部は、前記第１成分光の光出射期間と前記非基準映像光の光出射期間とが重複するように、前記第１光源、前記第２光源及び前記発光体ユニットを制御する。
【０００９】
第１の特徴において、前記第１光源は、前記第１基準映像光以外の前記基準映像光である第２基準映像光（例えば、赤成分光Ｒ）として、前記第１成分光を出射する。
【００１０】
第１の特徴において、前記発光体ユニットは、前記第１光源から出射される前記第１成分光を励起光（例えば、紫外成分光ＵＶ）として、前記第１基準映像光以外の前記基準映像光である第２基準映像光（例えば、赤成分光Ｒ）を出射する発光体を有する。
【００１１】
第１の特徴において、前記発光体ユニットは、発光体を回転可能に支持する回転ホイールによって構成される。
【００１２】
第１の特徴において、前記制御部は、前記映像入力信号に基づいて、前記非基準映像光の光出射期間を制御する。
【００１３】
第１の特徴において、前記第２基準映像光は、赤成分光であり、前記非基準映像光は、黄成分光、シアン成分光又はマゼンタ成分光である。
【発明の効果】
【００１４】
本発明によれば、白成分光Ｗの色座標のシフトを抑制しながら、高輝度化を実現することを可能とする投写型映像表示装置を提供することができる。
【図面の簡単な説明】
【００１５】
【図１】第１実施形態に係る投写型映像表示装置１００を示す図である。
【図２】第１実施形態に係るカラーホイール４０を示す図である。
【図３】第１実施形態に係るカラーホイール４０を示す図である。
【図４】第１実施形態に係る制御ユニット２００を示すブロック図である。
【図５】第１実施形態に係る黄成分光Ｙｅの重畳例を説明するための図である。
【図６】第１実施形態に係る黄成分光Ｙｅの重畳例を説明するための図である。
【図７】変更例１に係る投写型映像表示装置１００を示す図である。
【図８】変更例１に係るカラーホイール４０Ｐを示す図である。
【図９】変更例１に係るカラーホイール４０Ｐを示す図である。
【図１０】変更例１に係るカラーホイール４０Ｑを示す図である。
【図１１】変更例１に係るカラーホイール４０Ｑを示す図である。
【図１２】変更例２に係る投写型映像表示装置１００を示す図である。
【図１３】変更例３に係る投写型映像表示装置１００を示す図である。
【図１４】変更例４に係るカラーホイール４０Ｓを示す図である。
【図１５】変更例４に係るカラーホイール４０Ｓを示す図である。
【発明を実施するための形態】
【００１６】
以下において、本発明の実施形態に係る投写型映像表示装置について、図面を参照しながら説明する。なお、以下の図面の記載において、同一又は類似の部分には、同一又は類似の符号を付している。
【００１７】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１８】
［実施形態の概要］
実施形態に係る投写型映像表示装置は、第１成分光を出射する第１光源と、第２成分光を出射する第２光源と、第２光源から出射される第２成分光を励起光として、基準映像光の一種である第１基準映像光及び非基準映像光を出射する発光体を有する発光体ユニットと、映像入力信号に基づいて、基準映像光及び非基準映像光を変調する光変調素子と、光変調素子から出射される光を投写する投写ユニットと、第１光源、第２光源及び発光体ユニットを制御する制御部とを備える。制御部は、第１基準映像光と非基準映像光とを時分割で出射するように発光体ユニットを制御する。制御部は、第１成分光の光出射期間と非基準映像光の光出射期間とが重複するように、第１光源、第２光源及び発光体ユニットを制御する。
【００１９】
ここで、第１成分光は、第１基準映像光以外の前記基準映像光である第２基準映像光である。或いは、第１成分光は、第１基準映像光以外の前記基準映像光である第２基準映像光の励起光である。
【００２０】
実施形態によれば、制御部は、第１成分光の光出射期間と非基準映像光の光出射期間とが重複するように、第１光源、第２光源及び発光体ユニットを制御する。言い換えると、第２基準映像光の光出射期間と非基準映像光の光出射期間とが重複する。
【００２１】
このように、非基準映像光が第２基準映像光に重畳されるため、第２基準映像光を出射するための第１光源を個別に設ける場合であっても、非基準映像光の重畳によって、白成分光Ｗの色座標のシフトを抑制しながら、高輝度化を実現することができる。
【００２２】
なお、基準映像光は、映像を構成する光であり、例えば、赤成分光、緑成分光又は青成分光である。
【００２３】
［第１実施形態］
（投写型映像表示装置）
以下において、第１実施形態に係る投写型映像表示装置について、図面を参照しながら説明する。図１は、第１実施形態に係る投写型映像表示装置１００を示す図である。なお、第１実施形態では、基準映像光として、赤成分光Ｒ、緑成分光Ｇ及び青成分光Ｂを用いるケースについて例示する。
【００２４】
図１に示すように、投写型映像表示装置１００は、光源１０と、光源２０と、合成分離素子３０と、カラーホイール４０と、合成素子５０と、ロッドインテグレータ６０と、ＤＭＤ７０と、投写ユニット８０とを有する。
【００２５】
光源１０は、赤成分光Ｒを出射する。光源１０は、例えば、LＤ（Ｌａｓｅｒ  Ｄｉｏｄｅ）やＬＥＤ（Ｌｉｇｈｔ  Ｅｍｉｔｔｉｎｇ  Ｄｉｏｄｅ）などである。赤成分光Ｒは、基準映像光（第１実施形態では、第２基準映像光）として用いられる。
【００２６】
光源２０は、偏光度の高い青成分光Ｂを出射する。光源２０は、例えば、LＤ（Ｌａｓｅｒ  Ｄｉｏｄｅ）やＬＥＤ（Ｌｉｇｈｔ  Ｅｍｉｔｔｉｎｇ  Ｄｉｏｄｅ）などである。青成分光Ｂは、基準映像光として用いられる。青成分光Ｂは、基準映像光の一種である緑成分光Ｇ（第１実施形態では、第１基準映像光）の励起光としても用いられる。青成分光Ｂは、非基準映像光の一種である黄成分光Ｙｅの励起光としても用いられる。
【００２７】
合成分離素子３０は、ダイクロイックミラーによって構成される。具体的には、合成分離素子３０は、光源１０から出射される赤成分光Ｒ及び光源２０から出射される青成分光Ｂを透過する。一方で、合成分離素子３０は、後述するカラーホイール４０で反射される緑成分光Ｇ及び黄成分光Ｙｅを反射する。
【００２８】
カラーホイール４０は、回動可能に構成されており、図２に示すように、緑領域４１Ｇ、黄領域４１Ｙｅ及び青領域４１Ｂする。緑領域４１Ｇは、光源２０から出射される青成分光Ｂを励起光として、緑成分光Ｇを出射する発光体を含む領域である。黄領域４１Ｙｅは、光源２０から出射される青成分光Ｂを励起光として、黄成分光Ｙｅを出射する発光体を含む領域である。青領域４１Ｂは、光源２０から出射される青成分光Ｂを拡散して透過する拡散板を含む領域である。発光体は、蛍光体或いは燐光体である。
【００２９】
カラーホイール４０は、図３に示すように、光源２０に近い順に、、発光体層４２及び基板層４３とを有する。発光体層４２は、発光体及び拡散板を有する層である。基板層４３は、発光体及び拡散板を支持する層である。基板層４３は、発光体と重複する領域において反射面を有しており、拡散板と重複する領域において透過面を有する。
【００３０】
従って、緑領域４１Ｇ又は黄領域４１Ｙｅに青成分光Ｂが照射される場合に、カラーホイール４０は、緑成分光Ｇ及び黄成分光Ｙｅを反射する。緑成分光Ｇ及び黄成分光Ｙｅは、発光体によって既に拡散されていることに留意すべきである。一方で、青領域４１Ｂに青成分光Ｂが照射される場合に、カラーホイール４０は、青成分光Ｂを拡散して透過する。
【００３１】
合成素子５０は、ダイクロイックミラーによって構成される。具体的には、合成素子５０は、赤成分光Ｒ、緑成分光Ｇ及び黄成分光Ｙｅを透過し、青成分光Ｂを反射する。
【００３２】
ロッドインテグレータ６０は、光反射面を内壁として有する中空ロッドである。ロッドインテグレータ６０は、ロッドインテグレータ６０に入射する光を均一化する。
【００３３】
ＤＭＤ７０は、複数の微小ミラーによって構成されており、複数の微小ミラーは可動式である。各微小ミラーは、基本的に１画素に相当する。ＤＭＤ７０は、各微小ミラーの角度を変更することによって、投写ユニット８０側に光を反射するか否かを切り替える。
【００３４】
投写ユニット８０は、ＤＭＤ７０から出射された光（映像光）を投写面上に投写する。
【００３５】
なお、投写型映像表示装置１００は、図１に示すように、必要なレンズ群（レンズ１１１〜レンズ１２１）と、必要なミラー群（ミラー１３１、ミラー１３１）とを有する。
【００３６】
（制御ユニットの構成）
以下において、第１実施形態に係る制御ユニットについて、図面を参照しながら説明する。図４は、第１実施形態に係る制御ユニット２００を示すブロック図である。制御ユニット２００は、投写型映像表示装置１００に設けられており、投写型映像表示装置１００を制御する。
【００３７】
なお、制御ユニット２００は、映像入力信号を映像出力信号に変換する。映像入力信号は、赤入力信号Ｒｉｎ、緑入力信号Ｇｉｎ及び青入力信号Ｂｉｎによって構成される。映像出力信号は、赤出力信号Ｒｏｕｔ、緑出力信号Ｇｏｕｔ及び青出力信号Ｂｏｕｔによって構成される。映像入力信号及び映像出力信号は、１フレームを構成する複数の画素毎に入力される信号である。
【００３８】
図４に示すように、制御ユニット２００は、映像信号受付部２１０と、素子制御部２２０と、光源制御部２３０と、ホイール制御部２４０とを有する。
【００３９】
映像信号受付部２１０は、ＤＶＤやＴＶチューナなどの外部装置（不図示）から映像入力信号を受付ける。
【００４０】
素子制御部２２０は、映像入力信号を映像出力信号に変換して、映像出力信号に基づいて、ＤＭＤ７０を制御する。
【００４１】
ここで、素子制御部２２０は、映像入力信号に基づいて、黄成分光Ｙｅの光出射期間を制御してもよい。例えば、素子制御部２２０は、映像入力信号に基づいて映像の純度が高い場合には、黄成分光Ｙｅの光出射期間として短い期間を設定する。一方で、素子制御部２２０は、映像入力信号に基づいて映像の純度が低い場合には、黄成分光Ｙｅの光出射期間として長い期間を設定する。
【００４２】
或いは、素子制御部２２０は、動作モード（輝度優先モード、純度優先モード）に基づいて、黄成分光Ｙｅの光出射期間を決定してもよい。例えば、素子制御部２２０は、動作モードが輝度優先モードである場合には、黄成分光Ｙｅの光出射期間として長い期間を設定する。一方で、素子制御部２２０は、動作モードが純度優先モードである場合には、黄成分光Ｙｅの光出射期間として短い期間を設定する。
【００４３】
第１実施形態では、黄成分光Ｙｅの光出射期間は、光源１０から出射される赤成分光Ｒの光出射期間と重複するように制御されることに留意すべきである。
【００４４】
なお、赤成分光Ｒ、緑成分光Ｇ及び青成分光Ｂの光出射期間は、予め定められていてもよい。
【００４５】
光源制御部２３０は、光源１０及び光源２０を制御する。具体的には、光源制御部２３０は、赤成分光Ｒ、緑成分光Ｇ、青成分光Ｂ及び黄成分光Ｙｅの光出射期間に基づいて、光源１０及び光源２０を制御する。例えば、光源制御部２３０は、赤成分光Ｒの光出射期間において、赤成分光Ｒが出射されるように光源１０を制御する。光源制御部２３０は、緑成分光Ｇ、青成分光Ｂ及び黄成分光Ｙｅの光出射期間において、青成分光Ｂが出射されるように光源２０を制御する。
【００４６】
なお、光源制御部２３０は、映像入力信号に基づいて、黄成分光Ｙｅの光出射期間を制御する機能を有していてもい。
【００４７】
ホイール制御部２４０は、カラーホイール４０を制御する。具体的には、ホイール制御部２４０は、緑成分光Ｇ、青成分光Ｂ及び黄成分光Ｙｅの光出射期間に基づいて、カラーホイール４０を制御する。例えば、ホイール制御部２４０は、緑成分光Ｇの光出射期間において、緑領域４１Ｇに青成分光Ｂが照射されるようにカラーホイール４０を制御する。ホイール制御部２４０は、黄成分光Ｙｅの光出射期間において、黄領域４１Ｙｅに青成分光Ｂが照射されるようにカラーホイール４０を制御する。ホイール制御部２４０は、青成分光Ｂの光出射期間において、青領域４１Ｂに青成分光Ｂが照射されるようにカラーホイール４０を制御する。
【００４８】
なお、ホイール制御部２４０は、映像入力信号に基づいて、黄成分光Ｙｅの光出射期間を制御する機能を有していてもい。
【００４９】
（黄成分光Ｙｅの重畳例）
以下において、第１実施形態に係る黄成分光Ｙｅの重畳例について、図面を参照しながら説明する。図５は、第１実施形態に係る黄成分光Ｙｅの重畳例を示す図である。
【００５０】
ここでは、黄成分光Ｙｅを重畳するか否かについてフレーム毎に判定されるケースについて例示する。赤成分光Ｒ、緑成分光Ｇ及び青成分光Ｂの光出射期間は、予め定められている。黄成分光Ｙｅが赤成分光Ｒに重畳される場合には、黄成分光Ｙｅの光出射期間は、赤成分光Ｒの光出射期間と同じである。
【００５１】
図５に示すように、フレーム＃１及びフレーム＃３において、黄成分光Ｙｅが重畳されていない。このようなケースでは、光源１０から赤成分光Ｒが出射されるが、光源２０から青成分光Ｂが出射されない。
【００５２】
一方で、フレーム＃２、フレーム＃４、フレーム＃５において、黄成分光Ｙｅが重畳される。このようなケースでは、光源１０から赤成分光Ｒが出射されるとともに、光源２０から青成分光Ｂが出射される。
【００５３】
この結果、図６に示すように、色再現範囲として、２つの色再現範囲を実現することができる。色再現範囲＃１は、黄成分光Ｙｅが重畳されないケースの色再現範囲であり、色再現範囲＃２は、黄成分光Ｙｅが重畳されるケースの色再現範囲である。
【００５４】
（作用及び効果）
第１実施形態では、制御ユニット２００は、赤成分光Ｒ（第２基準映像光）の光出射期間と黄成分光Ｙｅ（非基準映像光）の光出射期間とが重複するように、光源１０、光源２０及びカラーホイール４０を制御する。
【００５５】
このように、黄成分光Ｙｅが赤成分光Ｒに重畳されるため、赤成分光Ｒを出射するための光源１０を個別に設ける場合であっても、黄成分光Ｙｅの重畳によって、白成分光Ｗの色座標のシフトを抑制しながら、高輝度化を実現することができる。
【００５６】
［変更例１］
以下において、第１実施形態の変更例１について説明する。以下においては、第１実施形態に対する相違点について主として説明する。
【００５７】
第１実施形態では、青成分光Ｂを励起光として緑成分光Ｇを出射する発光体及び青成分光Ｂを励起光として黄成分光Ｙｅを出射する発光体は、１つのカラーホイールに設けられる。これに対して、変更例１では、青成分光Ｂを励起光として緑成分光Ｇを出射する発光体及び青成分光Ｂを励起光として黄成分光Ｙｅを出射する発光体は、別々のカラーホイールに設けられる。
【００５８】
（投写型映像表示装置）
以下において、変更例１に係る投写型映像表示装置について、図面を参照しながら説明する。図７は、変更例１に係る投写型映像表示装置１００を示す図である。なお、図７では、図１と同様の構成について同様の符号を付していることに留意すべきである。
【００５９】
図７に示すように、投写型映像表示装置１００は、カラーホイール４０に代えて、カラーホイール４０Ｐ及びカラーホイール４０Ｑを有する。また、必要なレンズ群（レンズ１２２〜レンズ１２６）が追加されており、必要なミラー（ミラー１３３）が追加されている。
【００６０】
カラーホイール４０Ｐは、図８に示すように、透過領域４１Ｔ及び黄領域４１Ｙｅを有する。透過領域４１Ｔは、光源２０から出射される青成分光Ｂを透過する透過板を含む領域である。黄領域４１Ｙｅは、光源２０から出射される青成分光Ｂを励起光として、黄成分光Ｙｅを出射する発光体を含む領域である。
【００６１】
カラーホイール４０Ｐは、図９に示すように、光源２０に近い順に、発光体層４２及び基板層４３とを有する。発光体層４２は、発光体を有する層である。基板層４３は、発光体及び透過板を支持する層である。基板層４３は、発光体と重複する領域において反射面を有しており、透過板と重複する領域において透過面を有する。
【００６２】
ここで、カラーホイール４０Ｐは、光源２０から出射される青成分光Ｂの光軸に対して略４５°の傾きを有している。従って、黄領域４１Ｙｅに青成分光Ｂが照射される場合に、カラーホイール４０Ｐは、黄成分光Ｙｅを反射する。
【００６３】
カラーホイール４０Ｑは、図１０に示すように、緑領域４１Ｇ及び青領域４１Ｂを有する。緑領域４１Ｇは、光源２０から出射される青成分光Ｂを励起光として、緑成分光Ｇを出射する発光体を含む領域である。青領域４１Ｂは、光源２０から出射される青成分光Ｂを拡散して透過する拡散板を含む領域である。
【００６４】
カラーホイール４０Ｑは、図１１に示すように、光源２０に近い順に、発光体層４２及び基板層４３とを有する。発光体層４２は、発光体を有する層である。基板層４３は、発光体及び拡散板を支持する層である。基板層４３は、発光体と重複する領域において反射面を有しており、拡散板と重複する領域において透過面を有する。
【００６５】
［変更例２］
以下において、第１実施形態の変更例２について説明する。以下においては、第１実施形態に対する相違点について主として説明する。
【００６６】
第１実施形態では、基準映像光として赤成分光Ｒを出射する光源１０が設けられる。これに対して、変更例２では、赤成分光Ｒの励起光として、紫外成分光を出射する光源が設けられる。
【００６７】
（投写型映像表示装置）
以下において、変更例２に係る投写型映像表示装置について、図面を参照しながら説明する。図１２は、変更例２に係る投写型映像表示装置１００を示す図である。なお、図１２では、図１と同様の構成について同様の符号を付していることに留意すべきである。
【００６８】
図１２に示すように、投写型映像表示装置１００は、光源１０に代えて、光源１０Ｘを有する。また、投写型映像表示装置１００は、ダイクロイックミラー３０Ｒ及びカラーホイール４０Ｒを有する。また、必要なレンズ群（レンズ１２２〜レンズ１２４）が追加されている。
【００６９】
光源１０Ｘは、紫外成分光ＵＶを出射する。光源１０Ｘは、例えば、ＬＤ（Ｌａｓｅｒ  Ｄｉｏｄｅ）やＬＥＤ（Ｌｉｇｈｔ  Ｅｍｉｔｔｉｎｇ  Ｄｉｏｄｅ）などである。紫外成分光ＵＶは、基準映像光の一種である赤成分光Ｒ（変更例２では、第２基準映像光）の励起光として用いられる。
【００７０】
ダイクロイックミラー３０Ｒは、光源１０Ｘから出射される紫外成分光ＵＶを反射する。一方で、ダイクロイックミラー３０Ｒは、後述するカラーホイール４０Ｒで反射される赤成分光Ｒを透過する。
【００７１】
カラーホイール４０Ｒは、回動可能に構成される。カラーホイール４０Ｒは、光源１０Ｘから出射される紫外成分光ＵＶを励起光として赤成分光Ｒを出射する発光体を有する。また、カラーホイール４０Ｒは、カラーホイール４０と同様に、光源１０Ｘから近い順に、発光体層及び基板層を有する。発光体層は、発光体を有する層である。基板層は、発光体を支持する層である。基板層は、発光体と重複する領域において反射面を有する。
【００７２】
［変更例３］
以下において、第１実施形態の変更例３について説明する。以下においては、変更例２に対する相違点について主として説明する。
【００７３】
変更例２では、紫外成分光ＵＶを励起光として赤成分光Ｒを出射する発光体及び青成分光Ｂを励起光として緑成分光Ｇ及び黄成分光Ｙｅを出射する発光体は、別々のカラーホイールに設けられる。これに対して、変更例３では、紫外成分光ＵＶを励起光として赤成分光Ｒを出射する発光体及び青成分光Ｂを励起光として緑成分光Ｇ及び黄成分光Ｙｅを出射する発光体は、１つのカラーホイールに設けられる。
【００７４】
（投写型映像表示装置）
以下において、変更例３に係る投写型映像表示装置について、図面を参照しながら説明する。図１３は、変更例３に係る投写型映像表示装置１００を示す図である。なお、図１３では、図１２と同様の構成について同様の符号を付していることに留意すべきである。
【００７５】
図１３に示すように、投写型映像表示装置１００は、カラーホイール４０に代えて、カラーホイール４０Ｓを有する。また、投写型映像表示装置１００は、ダイクロイックミラー３０Ｒに代えて、ダイクロイックミラー３０Ｓを有する。
【００７６】
ダイクロイックミラー３０Ｓは、光源１０Ｘから出射される紫外成分光ＵＶを透過する。一方で、ダイクロイックミラー３０Ｓは、後述するカラーホイール４０Ｓで反射される赤成分光Ｒを透過する。
【００７７】
カラーホイール４０Ｓは、図１４に示すように、赤領域４１Ｒ、緑領域４１Ｇ、黄領域４１Ｙｅ及び青領域４１Ｂを有する。
【００７８】
赤領域４１Ｒは、、光源１０Ｘから出射される紫外成分光ＵＶを励起光として赤成分光Ｒを出射する発光体を有する領域である。緑領域４１Ｇは、光源２０から出射される青成分光Ｂを励起光として、緑成分光Ｇを出射する発光体を含む領域である。黄領域４１Ｙｅは、光源２０から出射される青成分光Ｂを励起光として、黄成分光Ｙｅを出射する発光体を含む領域である。青領域４１Ｂは、光源２０から出射される青成分光Ｂを拡散して透過する拡散板を含む領域である。
【００７９】
なお、赤領域４１Ｒは、緑領域４１Ｇ、黄領域４１Ｙｅ及び青領域４１Ｂの周囲を囲む円環形状を有する。これによって、光源１０Ｘから出射される紫外成分光ＵＶを赤領域４１Ｒに照射するとともに、光源２０から出射される青成分光Ｂを緑領域４１Ｇ、黄領域４１Ｙｅ及び青領域４１Ｂに照射することが可能である。
【００８０】
カラーホイール４０Ｓは、図１５に示すように、光源１０Ｘ及び光源２０に近い順に、、発光体層４２及び基板層４３とを有する。発光体層４２は、発光体及び拡散板を有する層である。基板層４３は、発光体及び拡散板を支持する層である。基板層４３は、発光体と重複する領域において反射面を有しており、拡散板と重複する領域において透過面を有する。
【００８１】
従って、緑領域４１Ｇ又は黄領域４１Ｙｅに青成分光Ｂが照射される場合に、カラーホイール４０Ｓは、緑成分光Ｇ及び黄成分光Ｙｅを反射する。一方で、青領域４１Ｂに青成分光Ｂが照射される場合に、カラーホイール４０Ｓは、青成分光Ｂを拡散して透過する。さらに、赤領域４１Ｒに赤成分光Ｒが照射される場合に、カラーホイール４０Ｓは、赤成分光Ｒを反射する。
【００８２】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００８３】
実施形態では、光変調素子として、ＤＭＤ７０が例示されているが、実施形態は、これに限定されるものではない。光変調素子は、１つの液晶パネル或いは３つの液晶パネル（赤液晶パネル、緑液晶パネル及び青液晶パネル）であってもよい。液晶パネルは、透過型であってもよく、反射型であってもよい。
【００８４】
実施形態では、第２基準映像光として、赤成分光Ｒを例示したが、実施形態は、これに限定されるものではない。第２基準映像光は、緑成分光Ｇ又は青成分光Ｂであってもよい。
【００８５】
実施形態では、非基準映像光として、黄成分光Ｙｅを例示したが、実施形態は、これに限定されるものではない。非基準映像光は、シアン成分光Ｃｙ又はマゼンタ成分光Ｍｇであってもよい。また、非基準映像光として、２種類以上の非基準映像光（例えば、黄成分光Ｙｅ及びシアン成分光Ｃｙなど）が用いられてもよい。或いは、非基準映像光は、２種類以上の色成分光の組み合わせ（例えば、緑成分光Ｇ及び黄成分光Ｙｅの組み合わせ（黄緑成分光）、赤成分光Ｒ及び黄成分光Ｙｅの組み合わせ（オレンジ成分光）など）であってもよい。
【００８６】
実施形態では、ロッドインテグレータ６０が中空ロッドであるケースについて例示したが、実施形態は、これに限定されるものではない。ロッドインテグレータ６０は、ガラスなどの透明部材によって構成されていてもよい。具体的には、ロッドインテグレータ６０は、光入射面と、光出射面と、光入射面から光出射面に亘って設けられる光反射側面とを有してもよい。
【符号の説明】
【００８７】
１０…光源、１０Ｘ…光源、２０…光源、３０…合成分離素子、３０Ｒ…ダイクロイックミラー、３０Ｓ…ダイクロイックミラー、４０…カラーホイール、４０Ｐ…カラーホイール、４０Ｑ…カラーホイール、４０Ｒ…カラーホイール、４０Ｓ…カラーホイール、４１Ｂ…青領域、４１Ｇ…緑領域、４１Ｒ…赤領域、４１Ｔ…透過領域、４１Ｙｅ…黄領域、４２…発光体層、４３…基板層、５０…合成素子、６０…ロッドインテグレータ、７０…ＤＭＤ、８０…投写ユニット、１００…投写型映像表示装置、１１１〜１２６…レンズ、１３１〜１３３…ミラー、２００…制御ユニット、２１０…映像信号受付部、２２０…素子制御部、２３０…光源制御部、２４０…ホイール制御部
【図１】
2012053162.tif 000003
【図２】
2012053162.tif 000004
【図３】
2012053162.tif 000005
【図４】
2012053162.tif 000006
【図５】
2012053162.tif 000007
【図６】
2012053162.tif 000008
【図７】
2012053162.tif 000009
【図８】
2012053162.tif 000010
【図９】
2012053162.tif 000011
【図１０】
2012053162.tif 000012
【図１１】
2012053162.tif 000013
【図１２】
2012053162.tif 000014
【図１３】
2012053162.tif 000015
【図１４】
2012053162.tif 000016
【図１５】
2012053162.tif 000017